(57)【要約】【課題】パネルの設置作業が容易に行え、作業能率の向上が図られる間仕切りパネルを提供する。【解決手段】第１パネル１と、第１パネル１内に上下方向伸縮可能に収納される第２パネル２と、第２パネル２を第１パネル１に対し所要の伸縮位置に固定するロック手段３とからなる間仕切りパネルＰであって、ロック手段３は、第２パネル２の側端部に上下方向に配設した多数のロック孔４の一つに、第１パネル１の側端部に設けたロック部材５Ａ，５Ｂを係入してロック状態にすることにより、第１パネル１に対し収縮する方向への第２パネル２の移動を阻止すると共に、伸張する方向への第２パネル２の移動を許すように構成されている間仕切りパネルＰ。【選択図】図１
2005273402.tif 000002
【特許請求の範囲】
【請求項１】
第１パネルと、第１パネル内に上下方向伸縮可能に収納される第２パネルと、第２パネルを第１パネルに対し所要の伸縮位置に固定するロック手段とからなる間仕切りパネルであって、ロック手段は、第２パネルの側端部に上下方向に配設した多数のロック孔の一つに、第１パネルの側端部に設けたロック部材を係入してロック状態にすることにより、第１パネルに対し収縮する方向への第２パネルの移動を阻止すると共に、伸張する方向への第２パネルの移動を許すように構成されてなることを特徴とする間仕切りパネル。
【請求項２】
ロック手段のロック部材は、第１パネルの側端部に一端部が固定された板バネと、第１パネルの側端部を貫通してロック孔の一つに対し斜め方向に係入するように板バネの遊端部に設けられた傾斜状係入片と、常時は傾斜状係入片がロック孔から離脱したロック解除位置に付勢されている板バネをそのバネ付勢力に抗して傾斜状係入片がロック孔に係入したロック位置に押圧保持し且つそのロック位置での板バネの保持を解放してロック解除位置に戻す操作手段とからなるもので、ロック位置において第２パネルを第１パネルに対し伸張する方向に移動させることにより、傾斜状係入片が楔作用によってロック孔から離脱する方向にスライドして板バネを変形させ、ロック解除状態となるようになっている請求項１に記載の間仕切りパネル。
【請求項３】
ロック手段のロック部材は、第１パネルの側端部に一端部が固定された板バネと、第１パネルの側端部を貫通してロック孔の一つに対し斜め方向に係入するように板バネの遊端部に固定された傾斜状係入片と、常時は傾斜状係入片がロック孔に係入したロック位置に付勢されている板バネをそのバネ付勢力に抗して傾斜状係入片がロック孔から離脱したロック解除位置まで引き離し且つロック解除位置にある板バネをロック位置に戻す操作手段とからなるもので、ロック位置において第２パネルを第１パネルに対し伸張する方向に移動させることにより、傾斜状係入片が楔効果によってロック孔から離脱する方向にスライドして板バネを変形させ、ロック解除状態となるようになっている請求項１に記載の間仕切りパネル。
【請求項４】
第１パネル及び第２パネルのうち下側に位置されるパネルには両側下端部に夫々高さ調整金具を設けてなる請求項１〜３の何れかに記載の間仕切りパネル。
【請求項５】
第１パネルを下側に位置させ、第２パネルを上側に位置させるようにしてなる請求項１〜４の何れかに記載の間仕切りパネル。
【発明の詳細な説明】
【技術分野】
【０００１】
本発明は、展示場で各展示コーナーを仕切る間仕切り、デパートにおける模様替え工事等の部分改装工事現場での仕切りや仮囲いに使用される間仕切りパネルに関するもので、特に、上下方向に伸縮可能に接続される上下２枚のパネルからなる間仕切りパネルに関する。
【背景技術】
【０００２】
従来の間仕切りパネルとして、例えば特許文献１に記載されたものがある。この間仕切りパネルは、第１パネルと、第１パネル内に上下方向伸縮可能に収納される第２パネルと、第２パネルを第１パネルに対し所要の伸縮位置に固定する固定手段とからなるもので、固定手段としては、第１パネルの側端部に設けたねじ孔にねじ具をねじ込み、このねじ具を締め付け、その先端を第２パネルの側端面に押し付けることによって、第２パネルを第１パネルに対し固定するようにしている。
【特許文献１】特開平６−３０６９７５号公報
【発明の開示】
【発明が解決しようとする課題】
【０００３】
特許文献１に記載されたような間仕切りパネルでは、設置現場において第２パネルを第１パネルに対し所要の伸縮位置に固定するのにねじ具を強く締め付ける必要があり、また第２パネルを伸縮調整する間はこの第２パネルを手で保持しておく必要があるため、作業に困難を来たし、手間もかかって、パネル設置作業能率が悪かった。本発明は、パネルの設置作業が容易に行え、作業能率の向上が図られる間仕切りパネルを提供することを目的とする。
【課題を解決するための手段】
【０００４】
上記課題を解決するための手段を、後述する実施形態の参照符号を付して説明すると、請求項１に係る発明は、第１パネル１と、第１パネル１内に上下方向伸縮可能に収納される第２パネル２と、第２パネル２を第１パネル１に対し所要の伸縮位置に固定するロック手段３とからなる間仕切りパネルＰであって、ロック手段３は、第２パネル２の側端部に上下方向に配設した多数のロック孔４の一つに、第１パネル１の側端部に設けたロック部材５Ａ，５Ｂを係入してロック状態にすることにより、第１パネル１に対し収縮する方向への第２パネル２の移動を阻止すると共に、伸張する方向への第２パネル２の移動を許すように構成されてなることを特徴とする。
【０００５】
請求項２は、請求項１に記載の間仕切りパネルにおいて、ロック手段３のロック部材５Ａは、第１パネル１の側端部に一端部が固定された板バネ１２と、第１パネル１の側端部を貫通してロック孔４の一つに対し斜め方向に係入するように板バネ１２の遊端部に設けられた傾斜状係入片１３と、常時は傾斜状係入片１３がロック孔４から離脱したロック解除位置に付勢されている板バネ１２をそのバネ付勢力に抗して傾斜状係入片１３がロック孔４に係入したロック位置に押圧保持し且つそのロック位置での板バネ１２の保持を解放してロック解除位置に戻す操作手段１７とからなるもので、ロック位置において第２パネル２を第１パネル１に対し伸張する方向に移動させることにより、傾斜状係入片１３が楔作用によってロック孔４から離脱する方向にスライドして板バネ１２を変形させ、ロック解除状態となるようになっていることを特徴とする。
【０００６】
請求項３は、請求項１に記載の間仕切りパネルにおいて、ロック手段３のロック部材５Ｂは、第１パネル１の側端部に一端部が固定された板バネ１２と、第１パネル１の側端部を貫通してロック孔４の一つに対し斜め方向に係入するように板バネ１２の遊端部に固定された傾斜状係入片１３と、常時は傾斜状係入片１３がロック孔４に係入したロック位置に付勢されている板バネ１２をそのバネ付勢力に抗して傾斜状係入片１３がロック孔４から離脱したロック解除位置まで引き離し且つロック解除位置にある板バネ１２をロック位置に戻す操作手段１８とからなるもので、ロック位置において第２パネル２を第１パネル１に対し伸張する方向に移動させることにより、傾斜状係入片１３が楔作用によってロック孔４から離脱する方向にスライドして板バネ１２を変形させ、ロック解除状態となるようになっていることを特徴とする。
【０００７】
請求項４は、請求項１〜３の何れかに記載の間仕切りパネルにおいて、第１パネル１及び第２パネル２のうち下側に位置されるパネル１又は２には両側下端部に夫々高さ調整金具を設けてなることを特徴とする。
【０００８】
請求項５は、請求項１〜４の何れかに記載の間仕切りパネルにおいて、第１パネル１を下側に位置させ、第２パネル２を上側に位置させるようにしてなることを特徴とする。
【発明の効果】
【０００９】
上記解決手段による発明の効果を、後述する実施形態の参照符号を付して説明すると、請求項１に係る発明によれば、第１パネル１側のロック部材５Ａ，５Ｂを係入してロック手段３をロック状態にすることにより、第１パネル１に対し収縮する方向への第２パネル２の移動が阻止されると共に、第１パネル１に対し伸張する方向への第２パネル２の移動が自在となるから、第２パネル２を第１パネル１内に収納してロック手段３を予めロック状態にしておけば、下側に位置するパネル（例えば第１パネル１）の下端部を下部ランナー２６に嵌め込んだ後、上側に位置するパネル（例えば第２パネル２）を持ち上げて、そのパネルの上端部を上部ランナー２５に嵌め込むだけで、１つの間仕切りパネルＰを容易且つ迅速に設置することができ、作業能率の向上を図ることができる。
【００１０】
請求項２に係る発明によれば、常時はロック部材５Ａの傾斜状係入片１３がロック孔４から離脱したロック解除位置にあるから、ロック位置に切り換えるには、操作手段１７を操作して、板バネ１２をロック位置に押圧して保持すればよいし、ロック解除するには、そのロック位置での板バネ１２の保持を解放してロック解除位置に戻せばよいから、ロック位置とロック解除位置との切り換えを簡単に行うことができる。
【００１１】
請求項３に係る発明によれば、常時はロック部材５Ｂの傾斜状係入片１３がロック孔４に係入したロック位置にあるから、ロック解除位置にするには、操作手段１８を操作して板バネ１２をロック解除位置まで引き離せばよいし、ロックするには、その操作手段１８によってロック解除位置にある板バネ１２をロック位置に戻せばよいから、ロック位置とロック解除位置との切り換えを簡単に行うことができる。
【００１２】
請求項４に係る発明によれば、天井Ｓや床Ｆに凹凸部があるような場合でも、下側に配置されるパネルの高さ調整金具９を適宜に調整することにより、そのパネルを水平面に対し垂直となるように設置できて、間仕切りパネルＰを適正に設置することができる。
【００１３】
請求項５に係る発明によれば、第１パネル１を下側に位置させ、第２パネル２を上側に位置させた場合は、第１パネル１の長さ（高さ）を十分に長く設定できるから、この第１パネル１の上端がパネルＰの上方部に位置する、つまり第１パネル１と第２パネル２との境界部がパネルＰの上方位置に来るため、外観上体裁、見栄えが良くなる。
【発明を実施するための最良の形態】
【００１４】
以下に本発明の好適実施形態を図面に基づいて説明すると、図１は本発明に係る間仕切りパネルＰを示すもので、(a) は第２パネル２が第１パネル１に対し所要長さ伸張した状態の正面図、(b) は側面図、(c) は(a) のイ−イ線断面図、(d) は第２パネル２が収縮して第１パネル１内に収納された状態の(c) と同様な断面図であり、図２は図１の(a) のロ−ロ線拡大断面図である。図３の(a) は第１パネル１の正面図、(b) は側面図、(c) は平面図、(d) は(a) のニ−ニ線断面図で、図４の(a) は図３の(a) のホ−ホ線拡大断面図、(b) は図３の(d) の矢印ヘで示す部分の拡大図、図５は高さ調整金具を示し、(a) は図３の(b) の矢印トで示す部分の拡大図、(b) は図３の(b) のチ−チ線拡大断面図、(c) は取付板の正面図、(d) はその平面図、(e) は高さ調整金具の使用状態を示す正面図である。図６の(a) は第２パネル２の正面図、(b) は平面図、(c) は側面図であり、図７は第２パネル２の一部拡大斜視図、図８は図６の(a) のハ−ハ線拡大断面図である。
【００１５】
間仕切りパネルＰは、図３に示すような中空状の第１パネル１と、この第１パネル１内に上下方向伸縮可能に収納される図６に示すような中空状の第２パネル２と、図１に示すように、第２パネル２を第１パネル１に対し所要の伸縮位置に固定するロック手段３とからなるもので、第１パネル１が下側に配置され、その上側に第２パネル２が配置される。そしてロック手段３は、第２パネル２の両側端部に夫々上下方向に配設した多数のロック孔４（図７参照）の一つに、第１パネル１の両側端部に夫々設けたロック部材５（図９〜図１２参照）を係入させることによって、第１パネル１に対し収縮する方向への第２パネル２の移動を阻止すると共に、第１パネル１に対し伸張する方向への第２パネル２の移動を許すように構成されている。
【００１６】
上記間仕切りパネルＰの構造について詳細に説明すると、第１パネル１は、図４の(a)
から分かるように、夫々鋼板からなる一対のパネル部材１ａ，１ａをビス２１により接合して中空筒状に形成したもので、左右両側端部には凹溝６，６が形成されている。また第１パネル１の内部には、図１の(d) 、図３の(a) ，(d) 及び図４の(b) に示すように収納される第２パネル２の底部を受ける鋼板製のパネル受け７，７がパネル部材１ａ，１ａの内壁面に水平に固着され、各パネル受け７の上端には第２パネル２を第１パネル１内に収納する時の衝撃を緩和するためにスポンジ材等からなるクッション８が取り付けてある。尚、第１パネル１内に収納されてパネル受け７，７で支持された第２パネル２は、その上端部２ａが第１パネル１から僅かに（手で掴める程度）突出するようになっている（図１の(a) 及び(d) 参照）。
【００１７】
また、第１パネル１には左右両側下端部に夫々高さ調整金具９が設けられる。各高さ調整金具９は螺軸からなるもので、図５に示すように、第１パネル１の左右両側端部に夫々形成された凹溝６の裏底部の下端部に取付板１０をビス２２止めし、この取付板１０の下板部１０ａに設けたネジ孔１０ｂに高さ調整金具９である螺軸を螺合して下向きに突出させるようにしている。
【００１８】
第２パネル２は、図６〜図８から分かるように、主として、前後一対の面板２ａ，２ａと、両面板２ａ，２ａの左右両端部同士をつなぐ断面外向きコ字状の左右側板２ｂ，２ｂと、これらの外向きコ字状側板２ｂ，２ｂに夫々固着された凸形材２ｃ，２ｃとによって形成されたもので、各面板２ａの左右両端部は、断面内向きコ字状に折曲されており、その折曲端部を２ａｏで示す。そして、各凸形材２ｃの突端面には、図７に示すように、ロック手段３の一部を構成するロック孔４が凸形材２ｃの長手方向に沿って一定ピッチで多数形成されている。図２は第２パネル２が第１パネル１内に上下方向（パネル長さ方向）にスライド自在に嵌合された状態を示している。
【００１９】
図９及び図１０は、第２パネル２を第１パネル１に対し所要伸縮位置に固定するロック手段３の一例を示すもので、図９の(a) は図１の(b) の矢印レで示される部分の拡大図で、ロック位置にある状態を示し、(b) は(a) のリ−リ線断面図、(c) は(a) のヌ−ヌ線断面図であり、図１０の(a) はロック解除位置にある状態での図９の(a) と同様な図、(b)
は(a) のル−ル線断面図である。このロック手段３は、第２パネル２の凸形材２ｃに形成した多数のロック孔４の一つに、第１パネル１に設けたロック部材５Ａを係入させることによって、第１パネル１に対し収縮する方向への第２パネル２の移動を阻止すると共に、第１パネル１に対して伸張する方向への第２パネル２の移動を許すように構成されている。
【００２０】
このロック手段３のロック部材５Ａは、第１パネル１の側端部に形成された凹溝６の底部に外側から基板１１をビス２３で取り付け、基板１１の上端部に開口部１１ａを設け、この基板１１の下端部側には図１０の(b) に示すように遊端部側が基板１１から離間して反り返るように形成された板バネ１２の一端部を固定し、この板バネ１２の他端部には、基板１１の開口部１１ａからロック孔４の一つに対して図９の(b) に示すように斜め方向に係入する傾斜状係入片１３を突設し、また板バネ１２の長手方向中央部には縦長長方形のグリップ係脱用開口部１２ａを貫設し、この開口部１２ａに臨む基板１１の長手方向中央部には基板１１に固着したナット１６に螺軸１４を螺合し、この螺軸１４には、縦向きにした状態で開口部１２ａを通り抜け出来且つ開口部１２ａを通り抜けた後横向きにすることにより開口部１２ａを通り抜け出来なくなるような直方体に形成されたグリップ１５を固着してなるもので、常時は傾斜状係入片１３がロック孔４から離脱したロック解除位置（図１０の(b) 参照）に付勢されている板バネ１２をそのバネ付勢力に抗して基板１１に接近するように押圧しながら、グリップ１５を図１０の(a) ，(b) に示すように縦向きにした状態で板バネ１２の開口部１２ａに挿通させた後、このグリップ１５を９０度回転させて横向きとすることにより、板バネ１２を傾斜状係入片１３がロック孔４に係入したロック位置に保持して、第１パネル１に対し収縮する方向（下向き方向）への第２パネル２の移動を阻止し、またこのロック位置で横向きにあるグリップ１５を９０度回転させて縦向きにして、グリップ１５を板バネ１２の開口部１２ａからグリップ１５を抜き取ることにより、板バネ１２がロック解除位置に戻るようになっている。また、このロック位置において、第２パネル２を第１パネル１に対し伸張する方向（上向き方向）に移動させると、図９の(a) に示すようにロック孔４に対し斜め方向に係入している傾斜状係入片１３がその楔作用でロック孔４から離脱する方向にスライドして、板バネ１２の遊端部側を基板１１から離間して反り返るように変形させ、それによりロック解除状態となるようになっている。
【００２１】
上記ロック部材５Ａにおいて、基板１１に固着されたナット１６、このナット１６に螺合した螺軸１４、この螺軸１４に固着したグリップ１５及び板バネ１２に設けた開口部１２ａは、ロック解除位置に付勢されている板バネ１２をバネ付勢力に抗してロック位置に押圧保持し且つそのロック位置での板バネ１２の保持を解放してロック解除位置に戻すようにする操作手段１７を構成する。この操作手段１７及びロック部材５Ａは、第１パネル１の左右各側端部に形成された凹溝６に収納可能となり、外側方へ不都合に突出することがない。
【００２２】
上記のような構成のロック部材５Ａを備えたロック手段３によれば、常時はロック部材５Ａの傾斜状係入片１３がロック孔４から離脱したロック解除位置にあるから、ロック位置に切り換えるには、板バネ１２を基板１１側に押圧して、縦向きのグリップ１５を開口部１２ａに挿通した後、９０度回転させて横向きにすればよく、またこのロック位置からロック解除位置に切り換えるには、横向きにあるグリップ１５を縦向きにすればよく、従ってロック位置からロック解除位置へ、またロック解除位置からロック位置への切換操作をワンタッチで簡単に行うことができる。
【００２３】
図１１及び図１２はロック手段３の他の例を示すもので、図１１の(a) は図９の(a) と同様な拡大図で、ロック位置にある状態を示し、(b) は(a) のオ−オ線断面図であり、図１２の(a) は図１１の(a) のワ−ワ線断面図であり、(b) はロック解除位置にある状態を示す(a) と同様な断面図である。このロック手段３も、図９及び図１０に示すロック手段３と同様に、第２パネル２の凸形材２ｃに形成した多数のロック孔４の一つに、第１パネル１に設けたロック部材５Ｂを係入させることによって、第１パネル１に対し収縮する方向への第２パネル２の移動を阻止すると共に、第１パネル１に対して伸張する方向への第２パネル２の移動を許すように構成されたものであるが、ロック部材５Ｂが、図９及び図１０に示すロック手段３のロック部材５Ａと多少異なっている。
【００２４】
このロック手段３のロック部材５Ｂは、第１パネル１の凹溝６底部にビス２３で取り付けた基板１１の上端部に開口部１１ａを設け、この基板１１の下端部側には遊端部側が基板１１に近接するように形成された（図１２の(a) 参照）板バネ１２の一端部を固定し、この板バネ１２の他端部には、基板１１の開口部１１ａからロック孔４の一つに対して図１２の(a) に示すように斜め方向に係入する傾斜状係入片１３を突設し、また板バネ１２の長手方向中央部には透孔２４を設けると共にその裏側にナット２０を同心状に固着し、このナット２０に板バネ１２の表側から操作用ボルト１９を螺入してなるもので、ボルト１９の回転操作によって、常時は傾斜状係入片１３がロック孔４に係入したロック位置（図１２の(b) 参照）に付勢されている板バネ１２を、そのバネ付勢力に抗して傾斜状係入片１３がロック孔４から離脱したロック解除位置まで引き離し且つこのロック解除位置にある板バネ１２をロック位置に戻すようにしている。
【００２５】
図１２の(a) に示すように傾斜状係入片１３がロック孔４に係入したロック位置では、操作用ボルト１９はナット２０から突出しない程度に螺合されており、しかしてこのロック位置からボルト１９をドライバーでねじ込み方向に回転させてナット２０から突出させてゆくと、それに伴いボルト１９の先端が基板１１に当接したまま、板バネ１２の遊端部側が付勢力に抗して基板１１側から引き離されて傾斜状係入片１３がロック孔４から漸次離脱し、図１２の(b) に示すようなロック解除位置となる。また、ロック解除位置から、ボルト１９を緩み方向に回転させてゆくと、板バネ１２の遊端部側が付勢力によって基板１１に接近し、同図の(a) に示すように傾斜状係入片１３がロック孔４に係入したロック位置となり、それによって第１パネル１に対し収縮する方向（下向き方向）への第２パネル２の移動を阻止することができる。また、このロック位置において、第２パネル２を第１パネル１に対し伸張する方向（上向き方向）に移動させると、図１０の(a) に示すようにロック孔４に対し斜め方向に係入している傾斜状係入片１３がその楔作用によりロック孔４から離脱する方向にスライドして、板バネ１２の遊端部側が基板１１から離間すように変形し、それによりロック解除状態となる。
【００２６】
上記ロック部材５Ｂにおいて、基板１１の中央部に設けた透孔２４、この透孔２４の裏側に取り付けたナット２０、及びこのナット２０に螺合したボルト１９は、常時は傾斜状係入片１３がロック孔４に係入したロック位置に付勢されている板バネ１２をそのバネ付勢力に抗して傾斜状係入片１３がロック孔から離脱したロック解除位置まで引き離し且つロック解除位置にある板バネ１２をロック位置に戻す操作手段を１８を構成する。このような構成のロック部材５Ｂを有するロック手段３によれば、ボルト１９をドライバー等で回転操作するだけで、ロック位置からロック解除位置へ、またロック解除位置からロック位置への切換操作を簡単容易に行うことができる。また、操作手段１８及びロック部材５Ｂは、第１パネル１の左右各側端部に形成された凹溝６に収納可能となり、外側方へ不都合に突出することがない。
【００２７】
上記のように構成される間仕切りパネルＰの好適な設置方法を図１３〜図１５によって説明する。各間仕切りパネルＰは、第１パネル１内に第２パネル２を収納して図１の(d)
に示す状態（第２パネル２の上端部２ａが若干突出する状態）にすると共に、ロック手段３をロック状態にしておく。このロック手段３をロック状態にするには、図９及び図１０に示すロック手段３では、操作手段１７によりロック部材５Ａの傾斜状係入片１３をロック孔４に係入させて図９に示す状態とし、図１１及び図１２に示すロック手段３では、操作手段１８によりロック部材５Ｂの傾斜状係入片１３をロック孔４に係入させて図１２の(a) に示す状態とする。
【００２８】
しかして、設置にあたっては、図１３の(a) 及び(b) に示すように、夫々チャンネル材からなる上下部ランナー２５，２６を天井Ｓ及び床Ｆのパネル設置位置に釘止めや粘着テープによって取り付け、そして第２パネル２を収納した第１パネル１の下端部を下部ランナー２６に嵌め込み、この第１パネル１を保持した状態で、第２パネル２を持ち上げて図１４の(a) 及び(b) に示すように、第２パネル２の上端部２ａを上部ランナー２５に嵌め込めばよい。
【００２９】
この間仕切りパネルＰの設置に際し、ロック手段３を上記のように予めロック状態にしておけば、第１パネル１の下端部を下部ランナー２６に嵌め込んだ後、第２パネル２を持ち上げて、その上端部２ａを上部ランナー２５に嵌め込むだけの簡単な作業で、１つの間仕切りパネルＰを設置することができる。これは、第１パネル１側のロック部材５Ａ，５Ｂを係入してロック手段３をロック状態にすることにより、第１パネル１に対し収縮する方向への第２パネル２の移動が阻止されると共に、第１パネル１に対し伸張する方向への第２パネル２の移動が自在となるからである。尚、パネルＰの設置途上でロック手段３のロック部材５Ａ，５Ｂを適宜にロック解除操作してもよいわけである。
【００３０】
また、このパネルＰの設置にあたっては、天井Ｓや床Ｆに凹凸部があって、上部ランナー２５や下部ランナー２６が必ずしも水平に取り付けられていない場合があるが、このような場合には、第１パネル１の両側下端部に夫々設けてある高さ調整金具９を適宜に調整することにより、第１パネル１を水平面に対し垂直となるように設置できて、間仕切りパネルＰを適正に設置することができる。
【００３１】
図１５の(a) は複数の間仕切りパネルＰが上下部ランナー２５，２６に沿って互いに隣接して設置された状態を示すもので、隣合うパネルＰ，Ｐ間には、その隙間を埋めてパネルＰを安定良く設置すると共に外観上の体裁をよくするために、(b) に示すような隙間介挿材２７が介挿される。この隙間介挿材２７は、合成樹脂によって、同図の(c) に示すようにウエブ２５ａと両端フランジ２５ｂ，２５ｂとで断面略Ｈ字状に形成されたもので、ウエブ２５ａは、隣合う第１パネル１，１の対向する側端面間及び第２パネル２，２の対向する側端面間に配置され、フランジ２５ｂは、隣合う第１パネル１，１の前後側面部に当接するように配置される。
【００３２】
この隙間介挿材２７は第１パネル１と第２パネル２とに対し別個に介挿される。即ち、第１パネル１は高さが一定であるため、第１パネル１の高さに略等しい長さに予めカットしたものを第１パネル用の隙間介挿材２７として使用し、第２パネル用の隙間介挿材２７については、施工現場によって長さが異なるため、その現場で所定長さにカットしたものを使用する。また、第１パネル用の隙間介挿材２７は、その下端面が下部ランナー２６の上端面に当接するように配置され、第２パネル用の隙間介挿材２７は、その上端面が上部ランナー１５の下端面に当接するように配置され、そして第１パネル用隙間介挿材２７の上端面と第２パネル用隙間介挿材２７の下端面とが突き合わさるよにうなっている。
【００３３】
上記のようにして設置した間仕切りパネルＰを撤去する際には、上下部ランナー２５，２６に沿って互いに隣接設置されている複数のパネルＰのうち最端のパネルＰのロック手段３をロック解除し、そのパネルＰの第２パネル２を第１パネル１内に収納した後、第１パネル１を持ち上げることによって、そのパネルＰを取り外すことができるから、順次他のパネルＰを同様にして取り外せばよい。
【００３４】
以上説明した実施形態の間仕切りパネルＰは、第１パネル１を下側に位置させ、第２パネル２を上側に位置させるようにしたが、第１パネル１を上側、第２パネル２を下側に夫々位置させるように倒置して使用してもよい。しかしながら、この実施形態のように、第１パネル１を下側に位置させ、第２パネル２を上側に位置させるようにすれば、第１パネル１がその長さ（高さ）を十分に長く設定できるから、間仕切りパネルＰとして設置した場合に第１パネル１の上端がパネルＰの上方部に位置する、つまり第１パネル１と第２パネル２との境界部がパネルＰの上方位置に来るため、外観上体裁、見栄えが良い。
【００３５】
尚、第１パネル１が上側に位置し、第２パネル２が下側に位置するように使用する場合には、高さ調整金具９は、第２パネル２の左右両側下端部に設ける必要がある。
【図面の簡単な説明】
【００３６】
【図１】本発明に係る間仕切りパネルを示すもので、(a) は第２パネルが第１パネルに対し所要長さ伸張した状態の正面図、(b) は側面図、(c) は(a) のイ−イ線断面図、(d) は第２パネルが収縮して第１パネル内に収納された状態の(c) と同様な断面図である。
【図２】図１の(a) のロ−ロ線拡大断面図である。
【図３】(a) は第１パネルの正面図、(b) は側面図、(c) は平面図、(d) は(a) のニ−ニ線断面図である。
【図４】(a) は図３の(a) のホ−ホ線拡大断面図、(b) は図３の(d) の矢印ヘで示す部分の拡大図である。
【図５】高さ調整金具を示すもので、(a) は図３の(b) の矢印トで示す部分の拡大図、(b) は図３の(b) のチ−チ線拡大断面図、(c) は取付板の正面図、(d) はその平面図、(e) は高さ調整金具の使用状態を示す正面図である。
【図６】(a) は第２パネルの正面図、(b) は平面図、(c) は側面図である。
【図７】第２パネルの一部拡大斜視図である。
【図８】図６の(a) のハ−ハ線拡大断面図である。
【図９】(a) は図１の(b) の矢印レで示される部分の拡大図で、ロック位置にある状態を示し、(b) は(a) のリ−リ線断面図、(c) は(a) のヌ−ヌ線断面図である。
【図１０】(a) はロック解除位置にある状態での図９の(a) と同様な図、(b) は(a)のル−ル線断面図である。
【図１１】(a) は図９の(a) と同様な拡大図で、ロック位置にある状態を示し、(b)は(a) のオ−オ線断面図である。
【図１２】(a) は図１１の(a) のワ−ワ線断面図、(b) はロック解除位置にある状態を示す(a) と同様な断面図である。
【図１３】(a) は間仕切りパネルの設置方法を示す正面図、(b) は(a) のカ−カ線断面図である。
【図１４】(a) は同じく設置方法を示す正面図であり、(b) は(a) のヨ−ヨ線断面図である。
【図１５】(a) は間仕切りパネルが左右方向に隣合うように設置された状態を示す正面図、(b) は(a) のタ−タ線拡大断面図、(c) は隣合うパネル間に介挿される隙間介挿材の一部を示す斜視図である。
【符号の説明】
【００３７】
１            第１パネル
２            第２パネル
３            ロック手段
４            ロック孔
５Ａ          ロック部材
５Ｂ          ロック部材
１２          板バネ
１３          傾斜状係入片
１７          操作手段
１８          操作手段
【図１】
2005273402.tif 000003
【図２】
2005273402.tif 000004
【図３】
2005273402.tif 000005
【図４】
2005273402.tif 000006
【図５】
2005273402.tif 000007
【図６】
2005273402.tif 000008
【図７】
2005273402.tif 000009
【図８】
2005273402.tif 000010
【図９】
2005273402.tif 000011
【図１０】
2005273402.tif 000012
【図１１】
2005273402.tif 000013
【図１２】
2005273402.tif 000014
【図１３】
2005273402.tif 000015
【図１４】
2005273402.tif 000016
【図１５】
2005273402.tif 000017